(57)【要約】【課題】前面と背面のいずれを前側にして着用しても違和感を与えることなく着用できるシャツを提供する。【解決手段】本考案のＴシャツ１は、前面６及び背面７を有するシャツ本体２と、シャツ本体２の上部開口に形成された首回りの襟縁３と、を備えた。襟縁３は、襟縁前面部３ｂと襟縁背面部３ｃとがそれぞれ略半円状で同一形状に形成されている。シャツ本体２の前面６と背面７のデザインやロゴ、色彩等は互いに異なるものを用いて、着用者は前面６と背面７のいずれを前側にしても同様の着用感で着用できる。【選択図】図１
0003215792.tif 000002
【実用新案登録請求の範囲】
【請求項１】
前面及び背面を有するシャツ本体と、
前記シャツ本体の上部開口に形成された首回りの襟縁と、を備え、
前記襟縁は、前記前面の襟縁前面部と前記背面の襟縁背面部とが略同一形状に形成されていることを特徴とするシャツ。
【請求項２】
前記シャツ本体における前面の下端部から襟縁前面部までの長さと、前記背面の下端部から襟縁背面部までの長さと、が同じ寸法に形成されている請求項１に記載されたシャツ。
【請求項３】
前記襟縁は、前記襟縁前面部と前記襟縁背面部とが略対称な円形または楕円形に形成されている請求項１または２に記載されたシャツ。
【請求項４】
前記シャツは前記シャツ本体の前面と背面のいずれを前側に向けても着用できる請求項１から３のいずれか１項に記載されたシャツ。
【請求項５】
前記シャツ本体の前記前面と前記背面とでデザイン、ロゴ、色彩の少なくともいずれかが異なっている請求項１から４のいずれか１項に記載されたシャツ。
【請求項６】
前記シャツはＴシャツである請求項１から５のいずれか１項に記載されたシャツ。
【考案の詳細な説明】
【技術分野】
【０００１】
この考案は、例えば前面と背面でデザイン、ロゴ、色彩等のいずれかが異なるＴシャツ等を含むシャツに関する。
【背景技術】
【０００２】
従来、Ｔシャツは略筒状のシャツ本体を有しており、シャツ本体の前面側と背面側とで着用者の首が外に突出する上部開口をなす襟縁の形状が異なっている。襟縁の前面側襟縁部は略Ｕ字状に形成されていて首を圧迫しない。襟縁の背面側襟縁部は略円弧状に形成されていて着用者の背中と首の境目付近を覆っている。このようなＴシャツの形状の一例として例えば特許文献１に記載されたものが知られている。
そのため、着用者がＴシャツを着用した場合、折り返しのない襟縁の開口から外に突き出る首の部分に対して前面側襟縁部が背面側襟縁部と比較して胸側に略Ｕ字状に広がっているため、首を圧迫せず頭を動かす際に擦らず、ゆったりと着用できる。
【０００３】
しかも、フェアやイベント等の大会で関係者やスタッフがユニフォームとしてＴシャツを着用することがあり、Ｔシャツの着用で関係者やスタッフ等であることを明示する場合がある。この場合、Ｔシャツの前面にキャラクターや名称等を表記し、背面に別の名称や商品のデザインやロゴ等を表記することがある。Ｔシャツの表面や背面に異なるデザインやロゴ等を表記して商品やイベントの趣旨等を表現して観客や顧客等にアピールすることもある。更に異なる色やロゴ等をつけたＴシャツを着用したスタッフが必要な場所に立つ等して「エリア区分」や「進入・通行の可否」を観客や来場者等にアピールすることもある。
あるいは、Ｔシャツの表面と背面に色付きのゼッケンを表記した「ビブス」を付けて、練習試合の対戦相手と区別してゲームを行う場合もある。
【先行技術文献】
【特許文献】
【０００４】
【特許文献１】実用新案登録第３０９８０９９号公報
【考案の概要】
【考案が解決しようとする課題】
【０００５】
しかしながら、着用者がＴシャツの前面と背面を逆にして着用した場合、前面と背面に表示されたロゴやデザイン等との関係であまり違和感がなくても、襟縁の背面側襟縁部が首の前面を圧迫するため、頭を動かす際に襟縁で首を擦ることがあり、着用者に違和感や不快感を与えるおそれがある。そのため、一般にＴシャツを前面と背面を取り替えて背面を前方に向けて着用することはなかった。
【０００６】
本考案は、このような課題に鑑みてなされたものであり、前面と背面のいずれを前側にして着用しても違和感を与えることなく着用できるシャツを提供することを目的とする。
【課題を解決するための手段】
【０００７】
本考案に係るシャツは、前面及び背面を有するシャツ本体と、シャツ本体の上部開口に形成された首回りの襟縁と、を備え、襟縁は、襟縁前面部と襟縁背面部とが略同一形状に形成されていることを特徴とする。
本発明において、襟縁は襟縁前面部と襟縁背面部とが略同一形状であるため、シャツ本体の前面と背面のいずれを前側に向けても着用可能であり、襟縁前面部と襟縁背面部とが着用者の首回りを圧迫しないで着用できる。そのため、前面と背面のいずれを前側にして着用しても違和感を与えることなく着用でき、二通りの着こなしが可能であった。
【０００８】
また、シャツ本体における前面の下端部から襟縁前面部までの長さと、背面の下端部から襟縁背面部までの長さと、が同じ寸法に形成されていることが好ましい。
これにより、シャツの前面と背面のいずれを前方に向けても同様な着心地で違和感なく着用できる。
【０００９】
また、襟縁は、襟縁前面部と襟縁背面部とが略対称な円形または楕円形に形成されていることが好ましい。
襟縁前面部と襟縁背面部とが略対称な円形または楕円形に形成されているため、いずれを前方に向けても首回りについて無理なく着用できる。
【００１０】
また、シャツはシャツ本体の前面と背面のいずれを前側に向けても着用できることが好ましい。
これによって、シャツの前面と背面のいずれかを選択して前側に向けて二通りの着こなしができる。
【００１１】
また、シャツ本体の前面と背面とでデザイン、ロゴ、色彩の少なくともいずれかが相違していることが好ましい。
シャツ本体の前面と背面を変えて着用することで、シャツ本体の前側のデザイン、ロゴ、色彩の少なくともいずれかが異なるため、その用途や機能、着こなし、着用感等を変えることができる。
【００１２】
また、シャツはＴシャツであることが好ましい。
Ｔシャツを、シャツ本体の前後面を変えて着用することができる。
【考案の効果】
【００１３】
本考案に係るシャツによれば、シャツ本体の前面と背面のいずれを前側にして着用したとしても襟縁が首に当たることがなく隙間を有するため、違和感なく快適に着用できる。しかも、シャツの前面と背面に異なるデザインやロゴや色彩等を付けた場合に、必要に応じて前面と背面を逆にして着用できるため、アピールや表現したい部分を選択できる。
【図面の簡単な説明】
【００１４】
【図１】本考案の実施形態によるＴシャツの前面側の斜視図である。
【図２】Ｔシャツの背面側の斜視図である。
【図３】実施形態によるＴシャツの具体例を示すものであり、（ａ）は表面に表示したデザインやロゴを示す図、（ｂ）は背面に表示したデザインやロゴを示す図である。
【図４】実施形態によるＴシャツの別の具体例を示すものであり、（ａ）は表面の図、（ｂ）は背面の図である。
【考案を実施するための形態】
【００１５】
以下、本考案の実施形態によるＴシャツ１について図１乃至図２に基づいて説明する。
図１及び図２に示す本考案の実施形態によるＴシャツ１は、着用者の胴体を包む略筒状のシャツ本体２と、上部開口に形成した頭と首が外に突き出る襟縁３と、シャツ本体２の両肩から横方向に延びる袖部４とを有する。袖部４は半袖に形成したが、長袖でもよい。或いは、袖部４のないランニング状のシャツでもよい。
Ｔシャツ１は通常、綿素材で形成されているが、化学繊維等でもよく、その素材は適宜の繊維を使用することができる。
【００１６】
シャツ本体２は前面６と背面７を有している。前面６は顔が向く方向の面を示し、胸や腹を包む面を示している。背面７は後頭部の向く面、背中を包む面を示している。前面６には図形等のデザインと文字や数字等のロゴと色彩から選択した適宜の前面表示６ａが表示されている。背面７にも前面６とは異なる図形等のデザインと文字や数字等のロゴと色彩から適宜選択した背面表示７ａが表示されている。
【００１７】
そして、上部開口として形成された襟縁３は折り返しがなく、着用者の首を圧迫しない程度の大きさで略円形または略楕円形に形成されている。襟縁３の周縁部に例えばシャツ本体２と異なる色のリング状の色帯３ａが付設されている。なお、色帯３ａはなくてもよい。
首回りの襟縁３は、前面６側に設けた略半円状をなす襟縁前面部３ｂと背面側に設けた略円弧状をなす襟縁背面部３ｃとで形成されている。図１において、Ｔシャツ１の前面６における襟縁３の襟縁前面部３ｂから前面６の下端部６ｂまでの長さをｔ１とし、背面７における襟縁３の襟縁背面部３ｃから背面７の下端部７ｂのまでの長さをｔ２とすると、概略でｔ１＝ｔ２に設定されている。
【００１８】
本実施形態の襟縁３は、その襟縁前面部３ｂと襟縁背面部３ｃとが略線対称な円弧状に形成されている。そのため、Ｔシャツ１を、前面６を前方にして、即ち胸や腹を包むように着用しても、或いは後ろ前に着て、背面７を前方にして胸や腹を包むように着用しても襟縁３が首を圧迫することがない。Ｔシャツ１は首回りの襟縁３の形状が前面側と背面側で前後略同一形状であるため、前面６と背面７の両方を選択的に前側として着用できる。そのため、前面６と背面７のいずれを前方にして着用しても、着用者の着用感に差異はない。
これに対し、従来の襟縁３は襟縁背面部３ｃを大径の略円弧状または略直線状にして、襟縁前面部３ｂは略Ｕ字状に形成されていた。そのため、背面７を前方に向けて後ろ前に着用すると襟縁背面部３ｃが比較的高い位置にあるため着用者の首に接触しており、頭部を動かしたりした際、襟縁背面部３ｃが首を擦ったりするため違和感を感じ、継続した着用が困難である。
【００１９】
従って、本実施形態によるＴシャツ１は前面６と背面７のいずれをも前側にして着用できる両面Ｔシャツである。Ｔシャツ１は、シャツ本体２の前面６と背面７のいずれをも前側として着用できて、襟縁３の襟縁前面部３ｂと襟縁背面部３ｃのいずれも着用者の首を擦ったり圧迫したりすることはない。
そのため、必要に応じて２通りの着用が可能である。シャツ本体２の前面６と背面７に異なるデザインやロゴ等の前面表示６ａと背面表示７ａをプリント等で表記して、その時々で気に入った表示や必要な表示を、また第三者にアピールしたい方の表示を、前側にして着用することができる。
【００２０】
具体的な使用例について説明すると、例えば、大勢の来場者や顧客が並ぶ展示場や展覧会や会場等の施設で、前面６や背面７の表示内容の差異を利用した表現が可能となる。その組み合わせによりできる表現効果はデザインやロゴや色彩等の区別や、その他、これらの多様な組み合わせの表示が可能であり、施設全体を大きな表現スペースとして活用できる。
また、各種スポーツの練習試合等に用いて、Ｔシャツ１の前面６と背面７とで異なるデザインやロゴや色彩等を表示して異なるユニフォームを「ビブス」としても表示することができる。そのため、１着のＴシャツ１で、２種類のユニフォームとビブスに兼用できて対戦チームの識別ができる。
更に、イベント等でスタッフが着用することで、異なる「役割」を明示することができる。また、必要に応じた場所に立つなどして「エリア区分」や「進入・通行の可否」等を顧客や参加者に訴えることもできる。
【００２１】
なお、本考案によるＴシャツ１は上述の実施形態に限定されるものではなく、その要旨を逸脱しない範囲で種々の変更や置換等が可能である。
上述した実施形態では、Ｔシャツ１のシャツ本体２に設けた前面６と背面７として説明したが、本発明では特に前面６と背面７を区別しなくてもよく、前面６と背面７は便宜上の名称にすぎない。本実施形態によるＴシャツ１は、前面６と背面７を変えて着用できるため、着用者の好みに応じていずれの面も前面であり、背面である。
【００２２】
図３はＴシャツ１の使用例を示すものであり、サッカーやラグビー等のユニフォームを模したデザインになっている。
図３（ａ）はシャツ本体２の前面６を示している。シャツ本体２の襟縁３に色帯３ａを設け、襟縁３の襟縁前面部３ｂは略半円状に形成されている。前面６全体の色付きデザインにアルファベットのロゴと２種のエンブレムをプリント等で表記している。また、袖部４の部分にもロゴ等が表記されている。
図３（ｂ）では、シャツ本体２の背面７を示している。襟縁３の襟縁背面部３ｃは略半円状に形成されている。背面７全体の色付き縦縞デザインにアルファベットのロゴとデザイン、２種のエンブレムをプリント等で表記している。また、袖部４の部分にもロゴ等が表記されている。
【００２３】
図４に示すＴシャツ１の使用例は、野球やアメリカンフットボール等のユニフォームを模したデザインになっている。図４（ａ）は、前面６を示している。シャツ本体２の襟縁３に色帯３ａを設け、襟縁３の襟縁前面部３ｂは略半円状に形成されている。前面６には縦縞の色付きデザインに英語の名称をアルファベットの筆記体ロゴで表記している。また、袖部４の部分にもマークが表記されている。図４（ｂ）では、シャツ本体２の背面７を示している。襟縁３の襟縁背面部３ｃは略半円状に形成されている。背面７全体の色デザインに背番号と英語の名称を表記している。  
【００２４】
なお、本実施形態では、襟縁３の形状を略円形にしたが、これに限定されることなく両肩方向に長い楕円形等でもよく、前面６と背面７に略Ｖ字状またはＵ字状に切り込むひし形または楕円形等でもよい。その他、襟縁３の形状は適宜の形状を採用できる。
また、上述した実施形態によるＴシャツ１は袖部４を備えているが、袖部４のないノースリーブタイプのシャツでもよいことは言うまでもない。
また、Ｔシャツ１は前面６と背面７が同じデザイン、ロゴ、色彩でもよい。これも本考案に含まれる。
【００２５】
本実施形態によるＴシャツ１やその具体例について上述したが、本発明によるシャツはＴシャツ１に限定されない。例えば下着やパジャマや作業着等にも使用でき、その他、適宜の用途のシャツとしても使用できる。  
【符号の説明】
【００２６】
１  Ｔシャツ
２  シャツ本体
３  襟縁
３ｂ  襟縁前面部
３ｃ  襟縁背面部
６  前面
６ａ  前面表示
７  背面
７ａ  背面表示
【図１】
0003215792.tif 000003
【図２】
0003215792.tif 000004
【図３】
0003215792.tif 000005
【図４】
0003215792.tif 000006